(57)【要約】【課題】棚板を自由自在に増設、変更する。【解決手段】物が載置される棚板３と、棚板３をその周囲から支持する支柱２とを備えたラック１である。棚係止部１５を帯状板材を上方が開口した溝を構成するように折り返して形成した。支持用筒部１６を上方へ向けて内径を縮めた円錐状筒材で構成されると共に縦に２つに分割して各分割片１６Ａ，１６Ｂの互いの当接部の一方に凸形のあり１８を、他方に凹形のあり溝１９を設けた。立て板部１１同士が接合した状態でそれらを両側から挟み込んで連結する連結部材２３を設けた。連結部材２３は、平板部２７と、折り返し部２８Ａ，２８Ｂ，２９Ａ，２９Ｂとから構成した。【選択図】    図１
2004173715.tif 000002
【特許請求の範囲】
【請求項１】
物が載置される棚板と、当該棚板をその周囲から支持する支柱とを備えたラックにおいて、
上記支柱に任意の高さで固定されて上記棚板を支持する支持用筒部を備え、
当該支持用筒部が、上方へ向けて内径を縮めた円錐状筒材で構成されると共に縦に複数に分割されて各分割片の互いの当接部の一方に凸形のありが、他方に凹形のあり溝が設けられたことを特徴とするラック。
【請求項２】
物が載置される棚板と、当該棚板をその周囲から支持する支柱とを備えたラックにおいて、
上記棚板に係止する棚係止部と、当該棚係止部に一体的に設けられて上記支柱に任意の高さで固定されて上記棚板を支持する支持用筒部とを備え、
上記棚係止部が、帯状板材を上方が開口した溝を構成するように折り返して形成され、
上記支持用筒部が、上方へ向けて内径を縮めた円錐状筒材で構成されると共に縦に複数に分割されて各分割片の互いの当接部の一方に凸形のありが、他方に凹形のあり溝が設けられたことを特徴とするラック。
【請求項３】
線材を組み合わせて板状に形成されてその上に物が載置される棚板と、当該棚板をその周囲から支持する支柱とを備えたラックにおいて、
上記棚板に係止する棚係止部と、当該棚係止部に一体的に設けられて上記支柱に任意の高さで固定されて上記棚板を支持する支持用筒部とを備え、
上記棚係止部が、帯状板材を上方が開口した溝を構成するように折り返して形成されると共にその上端部に上記棚板の線材を嵌合させる切り欠きが設けられ、
上記支持用筒部が、上方へ向けて内径を縮めた円錐状筒材で構成されると共に縦に複数に分割されて各分割片の互いの当接部の一方に凸形のありが、他方に凹形のあり溝が設けられたことを特徴とするラック。
【請求項４】
請求項１乃至３のいずれか１項に記載のラックにおいて、
上記棚係止部の下方に、上記棚板の線材を抱え込んで係止する係止用凸部を設けたことを特徴とするラック。
【請求項５】
請求項１乃至４のいずれか１項に記載のラックにおいて、
上記棚係止部が、上記支持用筒部の接線位置に設けられたことを特徴とするラック。
【請求項６】
物が載置される棚板と、当該棚板をその周囲から支持する支柱とを備えたラックにおいて、
上記棚板に係止する棚係止部と、当該棚係止部に一体的に設けられて上記支柱に任意の高さで固定されて上記棚板を支持する支持用筒部とを備え、
上記棚係止部が、線材を側面形状がＬ字状になるように折り返して形成され、
上記支持用筒部が、上方へ向けて内径を縮めた円錐状筒材で構成されると共に縦に複数に分割されて各分割片の互いの当接部の一方に凸形のありが、他方に凹形のあり溝が設けられたことを特徴とするラック。
【請求項７】
物が載置される棚板と、当該棚板をその周囲から支持する支柱とを備えたラックにおいて、
上記棚板に係止する棚係止部と、当該棚係止部に一体的に設けられて上記支柱に任意の高さで固定されて上記棚板を支持する支持用筒部とを備え、
上記棚係止部が、帯状板材を側面形状がヘアピン状になるように折り返して形成され、
上記支持用筒部が、上方へ向けて内径を縮めた円錐状筒材で構成されると共に縦に複数に分割されて各分割片の互いの当接部の一方に凸形のありが、他方に凹形のあり溝が設けられたことを特徴とするラック。
【請求項８】
請求項１乃至７のいずれか１項に記載のラックにおいて、
上記棚係止部が、上記支持用筒部の両側に２つ設けられたことを特徴とするラック。
【請求項９】
物が載置される棚板と、当該棚板をその周囲から支持する支柱とを備え、上記棚板が複数個隣り合って配設されたラックにおいて、
上記棚板の周縁に立て板部が設けられると共に、当該立て板部が、その上下に配設された線材と、当該上下の直線状の線材の間に配設されてこれらを連結する波形の線材とから構成され、
隣り合う２つの上記棚板の上記立て板部同士が接合した状態で当該２つの立て板部を両側から挟み込んで連結する連結部材が設けられたことを特徴とするラック。
【請求項１０】
請求項９に記載のラックにおいて、
上記連結部材が、上記立て板部に当接する平板部と、当該平板部の周縁に設けられて上記立て板部の上記波形の線材の１つの山の両側の傾斜部にそれぞれ係止する折り返し部と、上記直線状の線材に係止する折り返し部とからなり、
接合した２つの上記立て板部を両側から挟み込んた状態で、上記各折り返し部によって波形の線材と直線状の線材とを抱え込むように支持することを特徴とするラック。
【発明の詳細な説明】
【０００１】
【発明の属する技術分野】
この発明は、棚板を支柱に容易に取り付けることができると共に、隣り合って配設された棚板を確実に連結することができるラックに関するものである。
【０００２】
【従来の技術】
いわゆるメタルラック等のように、４本の支柱に複数段の棚板を取り付けたラックは一般に知られている。この場合、支柱の任意の高さに棚板を支持する手段として通常、スリーブと支持用筒部とが用いられる。スリーブの外径及び支持用筒部の内径が円錐状に形成され、２つ割りのスリーブを、支柱を抱えるように取り付けて、その外測に円錐筒状の支持用筒部を被せるように取り付ける。支持用筒部は棚板に一体的に固定されている。これにより、棚板を支柱に確実に取り付けることができる。
【０００３】
しかし、上述のような構成の場合、支持用筒部を支柱の一端から通さなければならないので、組み立てが面倒になる。即ち、棚板の角部に一体的に取り付けられた支持用筒部を支柱に通す場合、支持用筒部を大きな棚板ごと持ち上げて支柱に通さなければならないため、手間が掛かり、組み立てが面倒になる。
【０００４】
これを解消するために、特許文献１のような構造の支持用筒部がある。この支持用筒部は、縦に二分割され、支柱の一端から通さなくてもよいようにしている。
【０００５】
【特許文献１】
登録実用新案第３０５４０７６号公報
【０００６】
【発明が解決しようとする課題】
しかしながら、上記構成のラックの場合、二分割された支持用筒部の一方の片が棚板に一体的に取り付けられているため、ラックを組み立てる際には依然として棚板ごと持ち上げる必要があった。このため、依然として組み立てが面倒であった。
【０００７】
さらに、ラックを組み立ててしまった後は支柱の間隔が棚板の寸法に固定されるため、棚板を追加して取り付けることはほとんど不可能であった。即ち、組み立てたラックに棚板を追加する場合は、棚板を斜めにして各支柱の間に入れなければならないが、二分割された支持用筒部が棚板に一体的に取り付けられている場合、支持用筒部が障害になって棚板を支柱間に入れることが事実上難しい。このため、組み立てたラックに棚板を追加することはほとんど不可能であった。
【０００８】
また、棚板の取り付け高さを変える場合も、棚板全体を支持した状態で、４つの支持用筒部を付け替えなければならないため、容易ではなかった。
【０００９】
本発明は、上述の点に鑑みてなされたもので、棚板を支柱に容易に取り付けることができると共に、組み立てた後に棚板を容易に追加したり、付け替えしたりできるラックを提供することを目的とする。
【００１０】
【課題を解決するための手段】
前述した課題を解決するために第１の発明に係るラックは、物が載置される棚板と、当該棚板をその周囲から支持する支柱とを備えたラックにおいて、上記支柱に任意の高さで固定されて上記棚板を支持する支持用筒部を備え、当該支持用筒部が、上方へ向けて内径を縮めた円錐状筒材で構成されると共に縦に複数に分割されて各分割片の互いの当接部の一方に凸形のありが、他方に凹形のあり溝が設けられたことを特徴とする。
【００１１】
上記構成により、複数に分割された支持用筒部の各分割片を支柱の周囲に配して各当接部のありとあり溝を互いに嵌合させる。この状態で、支柱の任意の位置に取り付けたスリーブに被せるように取り付ける。これにより、支持用筒部を支柱の一端から通す必要がなくなり、支持用筒部を支柱に容易にかつ確実に取り付けることができる。
【００１２】
第２の発明に係るラックは、物が載置される棚板と、当該棚板をその周囲から支持する支柱とを備えたラックにおいて、上記棚板に係止する棚係止部と、当該棚係止部に一体的に設けられて上記支柱に任意の高さで固定されて上記棚板を支持する支持用筒部とを備え、上記棚係止部が、帯状板材を上方が開口した溝を構成するように折り返して形成され、上記支持用筒部が、上方へ向けて内径を縮めた円錐状筒材で構成されると共に縦に複数に分割されて各分割片の互いの当接部の一方に凸形のありが、他方に凹形のあり溝が設けられたことを特徴とする。
【００１３】
上記構成により、複数に分割された支持用筒部の各分割片を支柱の周囲に配して各当接部のありとあり溝を互いに嵌合させる。この状態で、支柱の任意の位置に取り付けたスリーブに被せるように取り付ける。次いで、棚係止部に棚板を引っ掛ける。これにより、支持用筒部を支柱に取り付ける際に棚板ごと持ち上げる必要がなくなる。さらに、支持用筒部を分割したので、支柱の一端から通す必要もなくなる。この結果、ラックを容易に組み立てることができるようになる。さらに、ラックを組み立てた後に、２つの棚板の間に支持用筒部を取り付けて、棚板を追加することも容易にできる。取り付けた棚板を一旦外して、支持用筒部の高さを変えて付け直して棚板を取り付けることも容易である。即ち、取り付けた後の棚板を容易に付け直すことができる。
【００１４】
第３の発明に係るラックは、線材を組み合わせて板状に形成されてその上に物が載置される棚板と、当該棚板をその周囲から支持する支柱とを備えたラックにおいて、上記棚板に係止する棚係止部と、当該棚係止部に一体的に設けられて上記支柱に任意の高さで固定されて上記棚板を支持する支持用筒部とを備え、上記棚係止部が、帯状板材を上方が開口した溝を構成するように折り返して形成されると共にその上端部に上記棚板の線材を嵌合させる切り欠きが設けられ、上記支持用筒部が、上方へ向けて内径を縮めた円錐状筒材で構成されると共に縦に複数に分割されて各分割片の互いの当接部の一方に凸形のありが、他方に凹形のあり溝が設けられたことを特徴とする。
【００１５】
上記構成により、複数に分割された支持用筒部の各分割片を支柱の周囲に配して各当接部のありとあり溝を互いに嵌合させる。この状態で、支柱の任意の位置に取り付けたスリーブに被せるように取り付ける。次いで、棚係止部に棚板を引っ掛けて、切り欠きに棚板の線材を嵌合させる。これにより、支持用筒部を支柱に取り付ける際に棚板ごと持ち上げる必要がなくなる。さらに、支持用筒部を分割したので、支柱の一端から通す必要もなくなる。また、切り欠きに棚板の線材を嵌合させるので、棚板がずれることもなくなる。この結果、ラックを容易にかつ確実に組み立てることができるようになる。さらに、ラックを組み立てた後に、棚板を追加したり付け直したりすることが容易にできるようになる。
【００１６】
第４の発明に係るラックは、第１乃至第３のいずれかの発明に係るラックにおいて、上記棚係止部の下方に、上記棚板の線材を抱え込んで係止する係止用凸部を設けたことを特徴とする。
【００１７】
上記構成により、棚係止部に棚板を嵌合させて押し込むと、棚板は係止用凸部で押さえ付けられて支持される。棚板を線材で構成する場合は、その線材を棚係止部の下方に押し込む。これにより、線材はその下部を棚係止部の底部に当接した状態で上部を係止用凸部で押さえられて抱え込むように支持される。これにより、棚係止部から抜け落ちることなく、確実に支持される。
【００１８】
第５の発明に係るラックは、第１乃至第４のいずれかの発明に係るラックにおいて、上記棚係止部が、上記支持用筒部の接線位置に設けられたことを特徴とする。
【００１９】
上記構成により、支持用筒部を支柱に取り付けた状態で棚係止部に棚板を引っ掛けると、棚板は支持用筒部及び支柱に干渉することなく棚係止部に確実に係止される。角部に取り付ける必要もなくなる。
【００２０】
第６の発明に係るラックは、物が載置される棚板と、当該棚板をその周囲から支持する支柱とを備えたラックにおいて、上記棚板に係止する棚係止部と、当該棚係止部に一体的に設けられて上記支柱に任意の高さで固定されて上記棚板を支持する支持用筒部とを備え、上記棚係止部が、線材を側面形状がＬ字状になるように折り返して形成され、上記支持用筒部が、上方へ向けて内径を縮めた円錐状筒材で構成されると共に縦に複数に分割されて各分割片の互いの当接部の一方に凸形のありが、他方に凹形のあり溝が設けられたことを特徴とする。
【００２１】
上記構成により、Ｌ字状の棚係止部が棚板を支持する。これにより、棚板を支柱に容易に取り付けることができる。
【００２２】
第７の発明に係るラックは、物が載置される棚板と、当該棚板をその周囲から支持する支柱とを備えたラックにおいて、上記棚板に係止する棚係止部と、当該棚係止部に一体的に設けられて上記支柱に任意の高さで固定されて上記棚板を支持する支持用筒部とを備え、上記棚係止部が、帯状板材を側面形状がヘアピン状になるように折り返して形成され、上記支持用筒部が、上方へ向けて内径を縮めた円錐状筒材で構成されると共に縦に複数に分割されて各分割片の互いの当接部の一方に凸形のありが、他方に凹形のあり溝が設けられたことを特徴とする。
【００２３】
上記構成により、ヘアピン状の棚係止部が棚板を支持する。これにより、棚板を支柱に容易に取り付けることができる。棚板が線材で構成される場合は、その線材がヘアピン状の棚係止部の底部に嵌合して確実に支持される。
【００２４】
第８の発明に係るラックは、第１乃至第７のいずれかの発明に係るラックにおいて、上記棚係止部が、上記支持用筒部の両側に２つ設けられたことを特徴とする。
【００２５】
上記構成により、複数の棚板を連結する場合に、両側に棚係止部を設けた支持用筒部を使用する。これにより、複数の棚板を容易に連結することができる。
【００２６】
第９の発明に係るラックは、物が載置される棚板と、当該棚板をその周囲から支持する支柱とを備え、上記棚板が複数個隣り合って配設されたラックにおいて、上記棚板の周縁に立て板部が設けられると共に、当該立て板部が、その上下に配設された線材と、当該上下の直線状の線材の間に配設されてこれらを連結する波形の線材とから構成され、隣り合う２つの上記棚板の上記立て板部同士が接合した状態で当該２つの立て板部を両側から挟み込んで連結する連結部材が設けられたことを特徴とする。
【００２７】
上記構成により、連結部材が２つの立て板部を両側から挟み込んで、隣り合う２つの棚板を上下にずらすことなく確実に連結することができる。
【００２８】
第１０の発明に係るラックは、第９の発明に係るラックにおいて、上記連結部材が、上記立て板部に当接する平板部と、当該平板部の周縁に設けられて上記立て板部の上記波形の線材の１つの山の両側の傾斜部にそれぞれ係止する折り返し部と、上記直線状の線材に係止する折り返し部とからなり、接合した２つの上記立て板部を両側から挟み込んた状態で、上記各折り返し部によって波形の線材と直線状の線材とを抱え込むように支持することを特徴とする。
【００２９】
上記構成により、平板部で２つの立て板部を両側から挟み込んた状態で、各折り返し部によって波形の線材と直線状の線材とを抱え込むように支持する。これにより、２つの立て板部を互いに接合させた状態で、ずれることなく確実に支持して、隣り合う２つの棚板を上下にずらすことなく確実に連結することができる。
【００３０】
【発明の実施の形態】
以下、本発明に係るラックについて、図面を参照しながら説明する。
【００３１】
図１は本実施形態に係るラックの要部を示す斜視図、図２は本実施形態に係るラックの全体構成を示す斜視図、図３は本実施形態に係るラックの固定手段を示す平面図、図４は本実施形態に係るラックの固定手段を示す正面図、図５は本実施形態に係るラックの固定手段を示す斜視図、図６は本実施形態に係るラックの固定手段に立て板部を嵌合させた状態を示す正面断面図、図７は本実施形態に係るラックの固定手段に立て板部を嵌合させた状態を示す平面断面図、図８は本実施形態に係るラックの連結部材を示す斜視図、図９は本実施形態に係るラックの一側連結部材を示す正面図、図１０は本実施形態に係るラックの一側連結部材を示す平面図、図１１は本実施形態に係るラックの連結部材を立て板部に取り付けた状態を示す正面断面図、図１２は本実施形態に係るラックの連結部材を立て板部に取り付けた状態を示す側面断面図、図１３は本実施形態に係るラックの連結部材を立て板部に取り付けた状態を示す平面図、図１４は本実施形態に係るラックの固定手段を取り付け態様を示す説明図である。
【００３２】
本実施形態に係るラック１は、図２に示すように、支柱２と、棚板３と、固定手段４とから構成されている。
【００３３】
支柱２は、図２，１４に示すように、断面形状が円形の棒材で構成され、その外周面に環状溝６が形成されている。環状溝６は、後述する支持用スリーブ７の係止用凸条８が嵌合することでこの支持用スリーブ７を支持するための溝である。この環状溝６は、支柱２の外周面に環状に形成され、一定間隔をおいて上下に複数設けられている。環状溝６の位置は、ラック１の大きさ等に合わせて適宜設定される。
【００３４】
棚板３は、図１，２に示すように、四角形板状に形成されている。具体的には、物の載置面となる四角形の床板部１０と、床板部１０の周縁を覆う立て板部１１とから構成されている。
【００３５】
床板部１０は、金属線材を縦横に組み合わせて四角形の平板状に形成されている。床板部１０の大きさは、設置位置の状況等に応じて適宜設定される。また、材料も、金属線材を組み合わせたものに限らず、木材や合成樹脂等の種々の板材でもよい。
【００３６】
立て板部１１は、床板部１０の周縁から垂直方向へ垂下して形成されている。立て板部１１は、上下２本の直線状の水平線材１１Ａ，１１Ｂと、これらの水平線材１１Ａ，１１Ｂの間に設けられ波形に曲げて形成され上下の各水平線材１１Ａ，１１Ｂを連結する中間線材１１Ｃとを組み合わせて構成されている。
【００３７】
なお、図１中には、本発明に係る棚板３と共に従来からある棚板３Ａを示している。従来の棚板３Ａでは、支柱２に取り付けるための支持用筒部３Ｂが棚板３Ａに一体的に設けられている。これに対して本発明に係る棚板３は固定手段４で支柱２に支持される。
【００３８】
固定手段４は、図１，３〜７，１４に示すように、棚板３に係止する棚係止部１５と、棚係止部１５に一体的に設けられて支柱２に任意の高さで固定されて棚板３を支持する支持用筒部１６と、支持用筒部１６を支柱２に固定する支持用スリーブ７とから構成されている。なお、図１４では、棚係止部１５を支持用筒部１６の両側に設けた構成の固定手段４を示している。
【００３９】
棚係止部１５は、帯状板材を上方が開口した溝を構成するように折り返して形成され、棚板３の立て板部１１が嵌合するようになっている。棚係止部１５は、支持用筒部１６の接線位置に、即ち支持用筒部１６の外周面に接して設けられている。これにより、棚板３の立て板部１１を棚係止部１５に嵌合させるときに、支持用筒部１６に干渉することがなくなり、棚板３の任意の位置を支持用筒部１６に支持させることができるようになる。棚係止部１５は、その一端部が支持用筒部１６に固定されている。これは、棚板３の角部で、棚板３と支持用筒部１６とをほぼ面一に整合させることができるようにするためである（図７参照）。棚係止部１５の上端部には、棚板３の線材３Ｃを嵌合させるための切り欠き１７が設けられている。この切り欠き１７は、棚板３の線材３Ｃを嵌合させて棚板３がずれないように支持するための手段である。切り欠き１７の設置位置は、棚板３の線材３Ｃの位置に合わせて適宜位置に設けられる。
【００４０】
棚係止部１５の内部の下方には、棚板３の立て板部１１の下方の水平線材１１Ｂを抱え込んで係止する係止用凸部２０（図６参照）が２つ設けられている。立て板部１１の下方の水平線材１１Ｂは、２つの係止用凸部２０を押し分けて棚係止部１５の底部に嵌り込むことで、上側を２つの係止用凸部２０で、下側を棚係止部１５の底部で支持される。これにより、２つの係止用凸部２０と、棚係止部１５の底部とで立て板部１１の下方の水平線材１１Ｂを抱え込んで係止するようになっている。
【００４１】
支持用筒部１６は、棚板３を支柱２に固定するための部材である。支持用筒部１６は、上方へ向けて内径を縮めた円錐状筒材で構成されている。さらに、支持用筒部１６は、縦に２つに分割されて、各分割片１６Ａ，１６Ｂの互いの当接部の一方に凸形のあり１８が、他方に凹形のあり溝１９が設けられている。支持用筒部１６は、支持用スリーブ７とほぼ整合する寸法に構成されている。これにより、支持用スリーブ７の内周面に設けられた後述の係止用凸条８（図３参照）が支柱２の環状溝６に嵌合した状態で、支持用筒部１６を支持用スリーブ７にその上側から被せるように嵌合させることで、支持用筒部１６がそのあり１８とあり溝１９とを互いに嵌合させた状態で、支持用スリーブ７を締め付けるようになっている。即ち、支持用スリーブ７がくさびとして機能して支柱２の外側面と支持用筒部１６の内側面とに圧接されて、支持用筒部１６を支柱２に確実に固定させる。これにより、支持用スリーブ７の係止用凸条８を支柱２の任意の位置の環状溝６に嵌合させて、支持用筒部１６を支持用スリーブ７に取り付けることで、棚板３を任意の高さで支柱２に固定することができるようになっている。
【００４２】
支持用スリーブ７は、図１４に示すように、支柱２の環状溝６に嵌合して支柱２に固定されるための部材である。この支持用スリーブ７は、支柱２を包み込むように二つ割りの円錐形筒状に形成されている。円錐形筒状に形成された支持用スリーブ７は、上方へ向けて直径が縮小し、くさびとして機能するようになっている。支持用スリーブ７の内側面には、支柱２の環状溝６に直接に嵌合する係止用凸条８が設けられている。この係止用凸条８は円環状にかつ細い凸条に形成されている。この係止用凸条８が環状溝６に嵌合した状態で、二つ割りの支持用スリーブ７が支柱２を包み込むように取り付けられることにより、支持用スリーブ７が支柱２に対して上下方向へずれることなく、確実に支持されるようになっている。
【００４３】
また、既存の従来の棚板３Ａに棚板３を増設する場合は、連結部材２３を用いる。この連結部材２３は、図８〜１３に示すように構成されている。
【００４４】
連結部材２３は、隣り合う２つの棚板３の立て板部１１同士が接合した状態でこれらを両側から挟み込んで連結するための部材である。連結部材２３は、一側連結部材２４と、他側連結部材２５と、固定ネジ２６とから構成されている。
【００４５】
一側連結部材２４と他側連結部材２５とは、全体がほぼ同じで、逆向きの構成になっている。これら連結部材２４，２５は、立て板部１１に当接する平板部２７と、平板部２７の周縁に設けられて立て板部１１の波形の線材１１Ｃの１つの山の両側の傾斜部にそれぞれ係止する折り返し部２８Ａ，２８Ｂと、直線状の線材１１Ｂに係止する折り返し部２９Ａ，２９Ｂとから構成されている。また、一側連結部材２４には固定ネジ２６を通す挿入穴３０が設けられている。他側連結部材２５には固定ネジ２６と結合するネジ穴３１が設けられている。そして、一側連結部材２４と他側連結部材２５とで、２つの立て板部１１を両側から挟み込んた状態で固定ネジ２６で固定することにより、各折り返し部２８Ａ，２８Ｂ，２９Ａ，２９Ｂによって波形の線材１１Ｃと直線状の線材１１Ｂとを抱え込むように支持し、支柱２を使わずに、棚板３を従来の棚板３Ａに固定することができる。
【００４６】
［動作］
以上のように構成されたラック１は、次のようにして組み立てられる。
【００４７】
支柱２を４本並べ、固定手段４を取り付ける。図１４（Ａ）のように、支柱２の環状溝６に支持用スリーブ７の係止用凸条８を合わせた状態で取り付けて、図１４（Ｂ）のように、固定手段４の分割片１６Ａ，１６Ｂを組み合わせる。即ち、分割片１６Ａ，１６Ｂを、支柱２を覆うように合わせて、あり１８とあり溝１９とを嵌合させる。この状態で、図１４（Ｃ）のように、上側から被せるように取り付ける。固定手段４を４本の支柱２の全てに取り付ける。棚板３の枚数分だけ任意の高さに取り付けて、棚板３を各固定手段４に掛けていく。具体的に、棚板３の立て板部１１を固定手段４の棚係止部１５の嵌合させて組み上げる。これにより、ラック１を容易に組み立てることができる。
【００４８】
また、既に組み立てられたラック１に対して、棚板３を増設したり、棚板３の高さを変えたりする場合は次のようにして行う。
【００４９】
２本の支柱２に固定手段４を上述のようにして取り付ける。そして、棚板３の一方を固定手段４に取り付け、他方を連結部材２３で固定する。即ち、棚板３の一方では、固定手段４に立て板部１１を嵌合させる。他方では、既存の棚板３と新しく取り付ける棚板３の立て板部１１を合わせて、その両側から一側連結部材２４と他側連結部材２５を合わせ、固定ネジ２６を通して締め付ける。これにより、各平板部２７が２枚の立て板部１１を互いに押しつけ、各折り返し部２８Ａ，２８Ｂ，２９Ａ，２９Ｂが水平線材１１Ｂ及び中間線材１１Ｃを掴むように支持して、ずれないように堅固に固定する。
【００５０】
また、既に組み立てたラック１の棚板３の高さを変える場合は、一旦棚板３を外して固定手段４の支持用筒部１６を支持用スリーブ７から上方へずらす。これにより、あり１８とあり溝１９とを外して固定手段４を支柱２から取り外す。そして、支持用スリーブ７を支柱２の任意の高さ位置に付け替えて、上記同様にして固定手段４を取り付ける。そして、棚板３を取り付ける。
【００５１】
さらに、既存のラック１に新たに棚板３を追加する場合は、追加したい位置の支柱２に上記同様にして固定手段４を取り付け、この固定手段４に棚板３を取り付ける。
【００５２】
［効果］
以上のように、支持用筒部１６を支柱２の一端から通す必要がなくなり、支柱２の任意の位置に容易にかつ確実に取り付けることができるようになる。また、支持用筒部１６を支柱２に取り付ける際に棚板３ごと持ち上げる必要がなくなる。この結果、ラック１を容易に組み立てることができるようになる。
【００５３】
さらに、ラック１を組み立てた後に、２つの棚板３の間に支持用筒部１６を取り付けて、棚板３を追加することも容易にできる。取り付けた棚板３を一旦外して、支持用筒部１６の高さを変えて付け直して棚板３を取り付けることも容易である。ラック１を組み立てた後に、棚板３を極めて容易にかつ自由自在に付け直し、レイアウトを変えることができるようになる。
【００５４】
また、切り欠きに棚板３の線材を嵌合させるので、棚板３がずれることもなくなる。この結果、ラックを容易にかつ確実に組み立てることができるようになる。
【００５５】
棚係止部１５に係止用凸部２０を設けたので、立て板部１１を確実に支持することができる。
【００５６】
棚係止部１５を支持用筒部１６の接線位置に設けたので、棚板３を支持用筒部１６及び支柱２に干渉することなく棚係止部１５に確実に係止させることができる。
【００５７】
連結部材２３で２つの立て板部１１を両側から挟み込んで固定するため、隣り合う２つの棚板３を確実に連結することができる。
【００５８】
連結部材２３を平板部２７と、折り返し部２８Ａ，２８Ｂ，２９Ａ，２９Ｂとから構成したので、２つの立て板部１１をずれることなく確実に支持して、隣り合う２つの棚板３を確実に連結することができる。
【００５９】
［変形例］
上記実施形態では、支持用筒部１６を分割片１６Ａ，１６Ｂの２つに分割したが、これに限らず３つ以上に分割してもよい。
【００６０】
上記実施形態では、固定手段４の棚係止部１５を支持用筒部１６に１つだけ設けた例を説明したが、図１５に示すように、棚係止部１５を両側に設けてもよい。これにより、１本の支柱２に固定手段４を取り付けて、その両側に棚板３を支持することができる。
【００６１】
また、棚係止部１５としては、図１６（Ａ）（Ｂ）（Ｃ）に示すように、線材を側面形状がＬ字状になるように折り返して形成してもよい。これにより、棚板３を支柱２に容易に取り付けることができる。このＬ字状の棚係止部は支持用筒部の両側に設けもよい。
【００６２】
また、図１７に示すように、固定手段４３を構成してもよい。この場合、上記棚係止部１５の代わりに、帯状板材を側面形状がヘアピン状になるように折り返して棚係止部４４を形成している。これにより、棚板３を支柱２に容易に取り付けることができると共に、水平線材１１Ｂが棚係止部４４の奥部４４Ａに嵌合して確実に支持される。
【００６３】
さらに、図１８に示すように、固定手段４５を構成してもよい。この場合、ヘアピン状の棚係止部４４を両側に設けている。これにより、複数の棚板３を容易に連結することができる。
【００６４】
【発明の効果】
以上、詳細に説明したように本発明によれば、次のような効果を奏することができる。
【００６５】
支持用筒部を支柱の一端から通す必要がなくなり、支柱の任意の位置に容易にかつ確実に取り付けることができるようになる。この結果、ラックを容易に組み立てることができるようになる。
【００６６】
さらに、ラックを組み立てた後に、２つの棚板の間に支持用筒部を取り付けて、棚板を追加することも容易にできるようになる。支持用筒部の高さを変えて付け直すことも容易である。即ち、ラックを組み立てた後に、棚板を極めて容易にかつ自由自在に付け直し、レイアウトを変えることができるようになる。載置する物の増減や、雰囲気を変える等の種々の目的に応じて、自由自在にレイアウトを変えることができるようになる。
【００６７】
また、切り欠きに棚板の線材を嵌合させるので、棚板がずれることもなく、棚板を容易に支持することができる。
【００６８】
棚係止部に係止用凸部を設けたので、立て板部を確実に支持することができる。
【００６９】
棚係止部を支持用筒部の接線位置に設けたので、棚板を支持用筒部及び支柱に干渉することなく棚係止部に確実に係止させることができる。
【００７０】
連結部材で２つの立て板部を両側から挟み込んで固定するため、隣り合う２つの棚板を確実に連結することができる。
【００７１】
連結部材を平板部と、折り返し部とから構成したので、２つの立て板部をずれることなく確実に支持して、隣り合う２つの棚板を確実に連結することができる。
【００７２】
棚係止部をＬ字状に構成したので、棚板を支柱に容易に取り付けることができる。
【００７３】
棚係止部を、帯状板材を側面形状がヘアピン状になるように折り返して形成したので、棚板を支柱に容易に取り付けることができ、確実に支持することができる。
【００７４】
棚係止部を支持用筒部の両側に２つ設けたので、複数の棚板を容易に連結することができる。
【図面の簡単な説明】
【図１】本発明の実施形態に係るラックの要部を示す斜視図である。
【図２】本発明の実施形態に係るラックの全体構成を示す斜視図である。
【図３】本発明の実施形態に係るラックの固定手段を示す平面図である。
【図４】本発明の実施形態に係るラックの固定手段を示す正面図である。
【図５】本発明の実施形態に係るラックの固定手段を示す斜視図である。
【図６】本発明の実施形態に係るラックの固定手段に立て板部を嵌合させた状態を示す正面断面図である。
【図７】本発明の実施形態に係るラックの固定手段に立て板部を嵌合させた状態を示す平面断面図である。
【図８】本発明の実施形態に係るラックの連結部材を示す斜視図である。
【図９】本発明の実施形態に係るラックの一側連結部材を示す正面図である。
【図１０】本発明の実施形態に係るラックの一側連結部材を示す平面図である。
【図１１】本発明の実施形態に係るラックの連結部材を立て板部に取り付けた状態を示す正面断面図である。
【図１２】本発明の実施形態に係るラックの連結部材を立て板部に取り付けた状態を示す側面断面図である。
【図１３】本発明の実施形態に係るラックの連結部材を立て板部に取り付けた状態を示す平面図である。
【図１４】本発明の実施形態に係るラックの固定手段を取り付け態様を示す説明図である。
【図１５】本発明の変形例を示す平面図である。
【図１６】本発明の変形例を示す斜視図である。
【図１７】本発明の変形例を示す斜視図である。
【図１８】本発明の変形例を示す正面図である。
【符号の説明】
１：ラック、２：支柱、３：棚板、４：固定手段、６：環状溝、７：支持用スリーブ、８：係止用凸条、１０：床板部、１１：立て板部、１５：棚係止部、１６：支持用筒部、１７：切り欠き、１８：あり、１９：あり溝、２０：係止用凸部、２１：支柱用支持具、２３：連結部材、２４：一側連結部材、２５：他側連結部材、２６：固定ネジ、２７：平板部、３０：挿入穴、３１：ネジ穴。
【図１】
2004173715.tif 000003
【図２】
2004173715.tif 000004
【図３】
2004173715.tif 000005
【図４】
2004173715.tif 000006
【図５】
2004173715.tif 000007
【図６】
2004173715.tif 000008
【図７】
2004173715.tif 000009
【図８】
2004173715.tif 000010
【図９】
2004173715.tif 000011
【図１０】
2004173715.tif 000012
【図１１】
2004173715.tif 000013
【図１２】
2004173715.tif 000014
【図１３】
2004173715.tif 000015
【図１４】
2004173715.tif 000016
【図１５】
2004173715.tif 000017
【図１６】
2004173715.tif 000018
【図１７】
2004173715.tif 000019
【図１８】
2004173715.tif 000020